(57)【要約】【課題】一度ケースのカバーを取り外して取り付ければ、必要に応じて拡張カードを拡張スロットに装着可能とすることを課題とする。【解決手段】コントローラー基板１４が収納されたケース１２には、コントローラー基板１４を露出させる開口部２２が設けられており、この開口部２２はパネル２６によって閉じられている。パネル２６にはスリット３２が形成されており、このスリット３２からライザー基板１８がコネクタ１６に挿抜できる。また、パネルを９０度回転させると、スリット３２からオプションカード４２がコネクタ４０に挿抜できる。これにより、コントローラー基板１４にライザー基板１８を増設する際や、ライザー基板１８にオプションカード４２を増設する際に、一度だけパネル２６を取り外せばよいので、増設作業が単純化できる。【選択図】図２
2007219976.tif 000002
【特許請求の範囲】
【請求項１】
コントローラー基板と、前記コントローラー基板に実装された第１拡張スロットと、前記第１拡張スロットに挿抜可能とされ、該第１拡張スロットに装着されることで前記コントローラー基板と電気的に接続される第１オプション基板と、前記第１オプション基板に、前記第１拡張スロットと平行に実装された第２拡張スロットと、前記第２拡張スロットに挿抜可能とされ、該第２拡張スロットに装着されることで前記第１オプション基板と電気的に接続される第２オプション基板と、を内蔵する電子機器において、
前記本体に前記コントローラー基板を露出させる開口部と、前記開口部を閉じるパネルとを設け、前記パネルには前記第１拡張スロットに前記第１オプション基板を挿抜可能とする複数のスリットを形成し、このパネルを９０度回転させることで、前記スリットから前記第２拡張スロットへ前記第２オプション基板を挿抜可能とすることを特徴とする電子機器。
【請求項２】
前記第１拡張スロットは前記コントローラー基板に所定のピッチで複数形成され、前記第２拡張スロットは前記第１オプション基板に所定のピッチで複数形成され、前記スリットは前記第１拡張スロット及び前記第２拡張スロットの数と同じ数で且つ所定のピッチで形成されていることを特徴とする請求項１に記載の電子機器。
【請求項３】
コントローラー基板と、前記コントローラー基板に実装された第１拡張スロットと、前記第１拡張スロットに挿抜可能とされ、該第１拡張スロットに装着されることで前記コントローラー基板と電気的に接続される第１オプション基板と、前記第１オプション基板に、前記第１拡張スロットと平行に実装された第２拡張スロットと、前記第２拡張スロットに挿抜可能とされ、該第２拡張スロットに装着されることで前記第１オプション基板と電気的に接続される第２オプション基板と、前記コントローラー基板を露出させる開口部と、前記開口部を閉じるパネルと、を備え、前記パネルには前記第１拡張スロットに前記第１オプション基板を挿抜可能とするスリットを形成し、このパネルを９０度回転させることで、前記スリットから前記第２拡張スロットへ前記第２オプション基板を挿抜可能とする電子機器のオプション基板増設方法であって、
前記第１オプション基板の増設時は前記スリットの長手方向を上下に向け、前記第２オプション基板の増設時は前記パネルを９０度回転させ、該スリットの長手方向を横に向けることを特徴とするオプション基板増設方法。
【発明の詳細な説明】
【技術分野】
【０００１】
本発明は、オプション基板が実装されるコントローラー基板を搭載した電子機器と、コントローラー基板上にオプション基板を増設するオプション基板増設方法に関する。
【背景技術】
【０００２】
例えば、プリンター等に搭載されるコントローラー基板上に、拡張スロット等を実装し、この拡張スロットにオプション基板を装着させることで、プリンター等に新たな機能を追加することが可能とされている（特許文献１参照）。
【０００３】
コントローラー基板はプリンター本体のケース内に収納されており、新たなオプション基板を拡張スロットに装着する毎に、プリンター本体のケースのカバーを取り外す必要がある。カバーはケースにネジ止めされており、カバーを取り外す際にネジを外す作業が発生する。また、作業中にネジを紛失してしまう等の問題点もあった。さらに、プリンターの設置場所が狭い場合には、プリンター本体を広い場所に移動してカバーを取り外すという面倒な作業が伴う。
【特許文献１】特表平８−５００４５９号公報
【発明の開示】
【発明が解決しようとする課題】
【０００４】
本発明は、一度ケースのカバーを取り外して取り付ければ、必要に応じて拡張カードを拡張スロットに装着可能とすることを課題とする。
【課題を解決するための手段】
【０００５】
請求項１に記載の本発明は、コントローラー基板と、前記コントローラー基板に実装された第１拡張スロットと、前記第１拡張スロットに挿抜可能とされ、該第１拡張スロットに装着されることで前記コントローラー基板と電気的に接続される第１オプション基板と、前記第１オプション基板に、前記第１拡張スロットと平行に実装された第２拡張スロットと、前記第２拡張スロットに挿抜可能とされ、該第２拡張スロットに装着されることで前記第１オプション基板と電気的に接続される第２オプション基板と、を内蔵する電子機器において、前記本体に前記コントローラー基板を露出させる開口部と、前記開口部を閉じるパネルとを設け、前記パネルには前記第１拡張スロットに前記第１オプション基板を挿抜可能とする複数のスリットを形成し、このパネルを９０度回転させることで、前記スリットから前記第２拡張スロットへ前記第２オプション基板を挿抜可能とすることを特徴としている。
【０００６】
請求項１の発明によれば、コントローラー基板が内蔵された電子機器の本体には、コントローラー基板を露出させる開口部が設けられている。そして、この開口部は、パネルによって閉じられている。パネルにはスリットが形成されており、このスリットから第１オプション基板が第１拡張スロットに挿抜できる。また、パネルを９０度回転させると、スリットから第２オプション基板が第２拡張スロットに挿抜できる。
【０００７】
これにより、コントローラー基板に第１オプション基板を増設する際や、第１オプション基板に第２オプション基板を増設する際に、一度だけパネルを取り外せばよいので、第１オプション基板及び第２オプション基板の増設作業が単純化できる。
【０００８】
請求項２に記載の本発明は、前記第１拡張スロットは前記コントローラー基板に所定のピッチで複数形成され、前記第２拡張スロットは前記第１オプション基板に所定のピッチで複数形成され、前記スリットは前記第１拡張スロット及び前記第２拡張スロットの数と同じ数で且つ所定のピッチで形成されていることを特徴としている。
【０００９】
請求項２の発明によれば、コントローラー基板には第１拡張スロットが所定のピッチで複数形成され、第１オプション基板には第２拡張スロットが所定のピッチで複数形成されている。また、第１オプション基板及び第２オプション基板が挿通されるスリットも、第１拡張スロット及び第２拡張スロットに合わせて、所定のピッチで同数形成される。したがって、パネルを９０度回転させるだけで、スリットから第１拡張スロットに第１オプション基板の挿抜が可能となり、第２拡張スロットに第２オプション基板の増設が可能となる。
【００１０】
請求項３に記載の本発明は、コントローラー基板と、前記コントローラー基板に実装された第１拡張スロットと、前記第１拡張スロットに挿抜可能とされ、該第１拡張スロットに装着されることで前記コントローラー基板と電気的に接続される第１オプション基板と、前記第１オプション基板に、前記第１拡張スロットと平行に実装された第２拡張スロットと、前記第２拡張スロットに挿抜可能とされ、該第２拡張スロットに装着されることで前記第１オプション基板と電気的に接続される第２オプション基板と、前記コントローラー基板を露出させる開口部と、前記開口部を閉じるパネルと、を備え、前記パネルには前記第１拡張スロットに前記第１オプション基板を挿抜可能とするスリットを形成し、このパネルを９０度回転させることで、前記スリットから前記第２拡張スロットへ前記第２オプション基板を挿抜可能とする電子機器のオプション基板増設方法であって、前記第１オプション基板の増設時は前記スリットの長手方向を上下に向け、前記第２オプション基板の増設時は前記パネルを９０度回転させ、該スリットの長手方向を横に向けることを特徴としている。
【００１１】
請求項３の発明によれば、コントローラー基板に第１オプション基板を増設する際は、スリットの長手方向を上下に向ける。また、第１オプション基板に第２オプション基板を増設する際は、パネルを９０度回転させて、スリットの長手方向を横に向ける。これにより、第１オプション基板及び第２オプション基板の増設時に、一度だけパネルを取り外せばよいので、増設作業が単純化される。
【発明の効果】
【００１２】
本発明は上記構成としたので、一度ケースのカバーを取り外して取り付ければ、必要に応じて拡張カードを拡張スロットに装着可能とすることができる。
【発明を実施するための最良の形態】
【００１３】
次に、本発明の第１の実施形態に係る電子機器としてのプリンター１０について説明する。
【００１４】
図１には、プリンター１０のコントローラー基板１４が収納されたケース１２が示されている。
【００１５】
ケース１２は矩形箱状とされ、コントローラー基板１４上には、図示は省略するが、ＣＰＵやメモリ等が実装されており、さらに、所定の間隔で複数（本実施形態では３個）のコネクタ１６が、長手方向を図の手前から奥側に沿うようにして、所定の間隔で３個配置されている。
【００１６】
図２に示すように、コネクタ１６には、ライザー基板１８が装着されるようになっている。ライザー基板１８の端部には、コネクタ１６に嵌合されるコンタクト２０が設けられている。このコンタクト２０をコネクタ１６に嵌合させることにより、ライザー基板１８はコネクタ１６に装着されて、コントローラー基板１４に対して直角に配置されると共に、コントローラー基板１４と電気的に接続されるようになっている。
【００１７】
一方、ケース１２の側壁には、ブロック１９が設けられている。このブロック１９には、左側のコネクタ１６に装着されたライザー基板１８の背面が当接するようになっている。
【００１８】
また、ライザー基板１８にはコネクタ４０が配置されている。コネクタ４０は、長手方向を図の手前から奥側に沿うようにして配置されており、コントローラー基板１４に配置されたコネクタ１６と同じ間隔で、３つ配置されている。
【００１９】
図３に示すように、コネクタ４０には、オプションカード４２が装着されるようになっている。オプションカード４２の端部には、コネクタ４０に挿入されるコンタクト４４が設けられている。このコンタクト４４をコネクタ４０に嵌合させることにより、オプションカード４２はコネクタ４０に装着されて、ライザー基板１８に対して直角に配置されると共に、ライザー基板１８と電気的に接続されるようになっている。このとき、オプションカード４２はライザー基板１８を介してコントローラー基板１４に対して平行に配置されると共に、コントローラー基板１４と電気的に接続される。
【００２０】
一方、図１に示すように、ケース１２の図の手前側壁面には、矩形状の開口部２２が形成されている。開口部２２の縁の四隅には、ネジ孔２４が形成されており、開口部２２よりも大きいサイズのパネル２６の四隅のネジ孔２８に挿通されたサムスクリュー３０が螺合されるようになっている。これにより、パネル２６によって開口部２２が閉塞されるようになっている。
【００２１】
パネル２６には、長手方向がコントローラー基板１４と直交するようにして（上下方向に）スリット３２が形成されている。スリット３２は、パネル２６で開口部２２を閉塞したときに、コントローラー基板１４に実装されたコネクタ１６と同じピッチで３個形成されている。また、スリット３２は、ライザー基板１８が挿通可能な幅とされ、スリット３２からケース１２の内部にライザー基板１８（図２参照）を挿通させることが可能とされている。
【００２２】
また、パネル２６には、スリット３２を開閉するための保護カバー３４がヒンジ３６を介して取り付けられている。これにより、スリット３２の使用時（コントローラー基板１４にライザー基板１８を増設する際）には、保護カバー３４を起立させてスリット３２を開放し、スリット３２の不使用時には、保護カバー３４でスリット３２を閉塞する。このように、スリット３２を保護カバー３４で閉塞可能とすることで、使用されないスリット３２からケース１２内に埃やゴミ等が入り込まないようにされている。
【００２３】
ここで、コントローラー基板１４にライザー基板１８を増設する手順について説明する。
【００２４】
図２（Ａ）に示すように、ライザー基板１８をコントローラー基板１４上に増設する際には、保護カバー３４を起立させてスリット３２を開放し、ライザー基板１８の一方の端部に設けられた把持部３８を把持して、スリット３２にライザー基板１８の他方の端部を挿通する。そして、コンタクト２０をコネクタ１６上に位置させて、ライザー基板１８を下方向に移動させることで、図２（Ｂ）に示すように、コンタクト２０がコネクタ１６に嵌合して、ライザー基板１８がコントローラー基板１４に装着される。
【００２５】
このように、スリット３２からライザー基板１８を挿入することで、ライザー基板１８をコントローラー基板１４に実装されたコネクタ１６に装着できる。したがって、ライザー基板１８をコントローラー基板１４に増設する際に、ケース１２からパネル２６を取り外す必要がないので、ライザー基板１８の増設作業が単純化できる。また、プリンター１０が狭い場所に設置されている場合でも、その場所で増設作業が行えるため、ケース１２を別の場所に移動して作業する必要がない。
【００２６】
なお、ライザー基板１８をコントローラー基板１４から取り外す際には、スリット３２から露出している把持部３８を把持して、ライザー基板１８を上方向に移動させて、ライザー基板１８のコンタクト２０をコネクタ１６から抜去する。つまり、パネル２６に形成されたスリット３２から、コントローラー基板１４に実装されたコネクタ１６へのライザー基板１８の挿抜が可能とされている。
【００２７】
次に、ライザー基板１８にオプションカード４２を増設する手順について説明する。
【００２８】
まず、図４（Ａ）に示すように、スリット３２を上下方向にしてケース１２に取り付けられたパネル２６を、サムスクリュー３０を緩めてケース１２から取り外す。このとき、ライザー基板１８の把持部３８（図２参照）を取り外す。そして、取り外したパネル２６を９０度回転させて、ケース１２に取り付ける。これにより、図４（Ｂ）に示すように、スリット３２の長手方向がコントローラー基板１４と平行となる（横になる）。
【００２９】
そして、図３（Ａ）に示すように、保護カバー３４を起立させてスリット３２を開放し、オプションカード４２の一方の端部に設けられた把持部４６を把持して、スリット３２にオプションカード４２の他方の端部を挿通する。そして、コンタクト４４をコネクタ４０上に位置させて、オプションカード４２を左方向に移動させる（押し込む）ことで、図３（Ｂ）に示すように、コンタクト４４がコネクタ４０に嵌合して、オプションカード４２がライザー基板１８に装着される。
【００３０】
このように、スリット３２からオプションカード４２を挿入することで、オプションカード４２をライザー基板１８に実装されたコネクタ４０に装着できる。したがって、オプションカード４２をライザー基板１８に増設する際に、ケース１２からパネル２６を一度だけ取り外せばよいので、オプションカード４２の増設作業が単純化できる。また、ライザー基板１８は、背面がブロック１９（図１参照）に当接しているので、オプションカード４２を装着する際の押圧力によって倒れることがない。
【００３１】
なお、オプションカード４２をライザー基板１８から取り外す際には、スリット３２から露出している把持部４６を把持して、オプションカード４２を右方向に移動させて、オプションカード４２のコンタクト４４をコネクタ４０から抜去する。つまり、パネル２６に形成されたスリット３２から、ライザー基板１８に実装されたコネクタ４０へのオプションカード４２の挿抜が可能とされている。
【００３２】
なお、本実施形態は、プリンターにライザー基板１８及びオプションカード４２を増設する場合を例にとって説明したが、オプションカードを増設（後付け）できる電子機器であれば、本発明はプリンターに限定されるものではない。例えば、コピー、ファックス等にも本発明を適用することができる。
【００３３】
また、コントローラー基板１４上及びライザー基板１８上には、３個のコネクタ１６、５６がそれぞれ実装される構成で説明したが、コネクタ１６、５６の数は３個に限定されるものではない。
【図面の簡単な説明】
【００３４】
【図１】第１の実施形態に係る電子機器の構成を示す斜視図である。
【図２】第１の実施形態に係る電子機器において、オプションパネルを増設する状態を示す斜視図である。
【図３】第２の実施形態に係る電子機器の構成を示す斜視図である。
【図４】第２の実施形態に係る電子機器において、オプションパネルを増設する状態を示す側面図である。
【符号の説明】
【００３５】
１０  プリンター（電子機器）
１２  ケース（電子機器本体）
１４  コントローラー基板
１６  コネクタ（第１拡張スロット）
１８  ライザー基板（第１オプション基板）
２６  パネル
３２  スリット
５６  コネクタ（第２拡張スロット）
５８  オプションカード（第２オプション基板）
【図１】
2007219976.tif 000003
【図２】
2007219976.tif 000004
【図３】
2007219976.tif 000005
【図４】
2007219976.tif 000006